(57)【要約】【課題】ラップフィルムなどのロール状包装材料を収納するカートンであって、収納したロール状包装材料が飛び出して落下することを確実に防止し、かつ、ラップフィルムなどのロール状包装材料の引き出しに支障がなく、簡単に形成することができる構造のロール状包装材料収納カートンを提供することにある。【解決手段】本発明のロール状包装材料収納カートンは、ラップフィルムなどが巻かれたロール状包装材料が収納されるカートン本体とその上方開口部の一側縁に起伏自在に連接された箱型の蓋体を有するロール状包装材料収納カートンにおいて、カートン本体の本体前板の上辺に押え板、該押え板より若干狭い幅の折り返し板、そして、糊代片を連設し、折り返し板を内側に折り返し、押え板と折り返し板をカートン本体の内側に折り曲げ、糊代片を本体前板の裏面に貼り合せることによって、本体前板の上端から内側方向に突き出したロール押え部を形成してなることを特徴とするものである。【選択図】図１
2004090986.tif 000002
【特許請求の範囲】
【請求項１】
ラップフィルムなどのロール状包装材料が収納されるカートン本体とその上方開口部の一側縁に起伏自在に連接された箱型の蓋体を有するロール状包装材料収納カートンにおいて、前記カートン本体の本体前板の上辺に押え板、該押え板より若干狭い幅の折り返し板、そして、糊代片を連設し、前記折り返し板を内側に折り返し、前記押え板と前記折り返し板を前記カートン本体の内側に折り曲げ、前記糊代片を前記本体前板の裏面に貼り合せることによって、前記本体前板の上端から内側方向に突き出したロール押え部を形成してなることを特徴とするロール状包装材料収納カートン。
【発明の詳細な説明】
【０００１】
【発明の属する技術分野】
本発明は、食品包装などに用いられるロール状のラップフィルムなどを収納するロール状包装材料収納カートンに関するものであり、詳しくは、収納したラップフィルムなどのロール状包装材料が飛び出して落下しないように改良したロール状包装材料収納カートンに関するものである。
【０００２】
【従来の技術】
食品などを包むのに用いられるラップフィルムなどの包装材料は、通常、紙筒にロール状に巻かれた状態で紙製のカートン内に収納されている。そして、カートンからラップフィルムなどの包装材料を所望の長さに引き出した後、カートンに付いた金属等の鋸刃部材により切断して使用するような形態となっている。ところで、従来のこの種のカートンではカートン本体に対して蓋体を被せるだけであるため、蓋体が開いて中のラップフィルムなどのロール状包装材料が飛び出して落下することがあった。そこで、このロール状包装材料の飛び出しを防止するため、カートン本体の側板に舌片を設けた形状などが多く知られている。（例えば、実公平７−１２２６７号公報参照）。
【０００３】
【発明が解決しようとする課題】
しかし、上記のカートン本体の側板に舌片などを設けた形状のロール状包装材料収納カートンは、外からの異物などが侵入する危険性があり衛生上の点で問題がある。この問題を解消するために、種々の形状が検討されており、例えば、前板に押え片などを連設し、ラップフィルムなどのロール状包装材料の飛び出しを防止しようとする形状も種々提案されている。しかし、この形状でも押え片の位置が安定しないなど、ロール状包装材料の飛び出しを防ぐ効果が不確実であり、また、ラップフィルムなどのロール状包装材料を引き出す時に、引き出しにくくなる危険性が生じるという問題があり、満足な形状のものとなっていないという状態である。
【０００４】
本発明は、上記のような問題点に鑑みなされたものであり、その目的とするところは、ラップフィルムなどのロール状包装材料を収納するカートンであって、収納したロール状包装材料が飛び出して落下することを確実に防止し、かつ、ラップフィルムなどのロール状包装材料の引き出しに支障がなく、簡単に形成することができる構造のロール状包装材料収納カートンを提供することにある。
【０００５】
【課題を解決するための手段】
上記目的を達成するために、本発明のロール状包装材料収納カートンは、ラップフィルムなどが巻かれたロール状包装材料が収納されるカートン本体とその上方開口部の一側縁に起伏自在に連接された箱型の蓋体を有するロール状包装材料収納カートンにおいて、前記カートン本体の本体前板の上辺に押え板、該押え板より若干狭い幅の折り返し板、そして、糊代片を連設し、前記折り返し板を内側に折り返し、前記押え板と前記折り返し板を前記カートン本体の内側に折り曲げ、前記糊代片を前記本体前板の裏面に貼り合せることによって、前記本体前板の上端から内側方向に突き出したロール押え部を形成してなることを特徴とするものである。
【０００６】
上記の構成からなる本発明のロール状包装材料収納カートンは、ラップフィルムなどのロール状包装材料を収納するカートンであって、カートン本体の本体前板に連設した押え板、折り返し板、糊代片により形成されたカートン本体の内側に突き出したロール押え部を設けることによって、収納したロール状包装材料が飛び出して落下することを確実に防止し、かつ、ラップフィルムなどのロール状包装材料の引き出しに支障がなく、簡単に形成することができる構造のカートンである。
【０００７】
【発明の実施の形態】
つぎに、本発明のロール状包装材料収納カートンの実施の形態を実施例をあげて説明する。図１は本発明に係るロール状包装材料収納カートンの一実施例を示す斜視図であり、図２はこのロール状包装材料収納カートンを形成するブランクを示す展開図であり、図３は本発明のロール状包装材料収納カートンを折り畳まれた状態に組み立てる工程を説明する図であり、図４は本発明のロール状包装材料収納カートンにロール状包装材料を収納する工程を説明する図であり、図５は本発明のロール状包装材料収納カートンの折り畳まれた状態およびロール状包装材料を収納した状態を示す断面図であり、そして、図６は本発明のロール状包装材料収納カートンを開封する状態を示す斜視図である。
【０００８】
図１は、本発明のロール状包装材料収納カートンの一実施例を示す斜視図であり、ロール状包装材料収納カートン１は、ラップフィルムＦを紙管に巻回したロール状包装材料Ｒを収納するカートン本体１０と蓋体２０とから構成されている。通常のロール状包装材料収納カートンと異なり、カートン本体１０の本体前板１１の上端から内側に突き出したロール押え部Ｐが設けられていることが特長である。一般家庭や店舗その他において使用する時に、このロール状包装材料収納カートン１からラップフィルムＦの必要な長さを引き出し、主に魚介、蔬菜、果実類等の食品の包装用に使用されている。
【０００９】
図２は、本発明はロール状包装材料収納カートン１のブランクを示す展開図である。ブランク１Ａは、ロール状包装材料Ｒを収納するカートン本体１０の部分とカートン本体１０の開口部を覆う蓋体２０の部分から構成されている。カートン本体１０の部分では本体前板１１、本体底板１２、本体後板１３が順次折れ線ａ、ｂを介して連設され、本体前板１１の両側辺には、本体折り込み片１４、１４がそれぞれ折れ線ｃ、ｃを介して連設され、本体底板１２の両側辺には、本体側板１５、１５がそれぞれ折れ線ｄ、ｄを介して連設され、そして、本体後板１３の両側辺には、本体折り込み辺１６、１６がそれぞれ折れ線ｅ、ｅを介して連設されている。
【００１０】
また、本体前板１１の上辺には、押え板１７、折り返し板１８、そして糊代片１９が順次折れ線ｆ、ｇ、ｈを介して連設されている。そして、押え板１７の幅は、本体前板１１から起こした状態で、カートン本体１からロール状包装材料Ｒが飛び出さない程度の幅、つまり、カートン本体１の開口部の幅からロール状包装材料Ｒの直径を差し引いた寸法より大きくし、かつ、ロール状包装材料Ｒに巻いたラップフィルムＦを引き出しにくくしない程度の幅、つまり、ロール状包装材料Ｒの半径以下に設定する。また、折り返し板１８の幅は、押え板１７の幅より若干狭くしている。さらに、折れ線ｈは折り曲げやすく反発力を小さくするために、リード罫などとすることが好ましい。これら押え板１７、折り返し板１８、糊代片１９によりロール押え部Ｐが形成される。
【００１１】
一方、蓋体２０の部分では、蓋体蓋板２１が本体後板１３の下辺に折れ線ｉを介して連設され、そして、この蓋体蓋板２１の下辺には、蓋体前板２２が折れ線ｊを介して連設されている。また、蓋体蓋板２１の両側辺には、蓋体側板２３，２３がそれぞれ折れ線ｋ、ｋを介して連設され、蓋体前板２２の両側辺には、蓋体折り込み片２４、２４がそれぞれ折れ線ｌ、ｌを介して連設されている。また、蓋体前板２２には使用時に切り離してカッターＣを露出させるための切り取り部２２ａが破断線Ｄで区画され、その切り取り部２２ａが貼り合せられる本体前板１１の部分には、表面からの半切れで形成した複数の接着領域Ｈが形成されている。この接着領域Ｈで、本体前板１１に蓋体前板２２の切り取り部２２ａが貼り合わされる。
【００１２】
つぎに、上記の構成からなる板紙製のブランク１Ａを組み立てて本発明のロール状包装材料収納カートン１を形成する工程を説明する。すなわち、ブランク１Ａの必要な箇所に糊付けしつつ折れ線に従って折り曲げて折り畳まれたロール状包装材料収納カートン１を作製し、その後、自動充填包装ラインでロール状包装材料収納カートン１の中にロール状に巻かれたラップフィルムＦのロール状包装材料Ｒを収納する。
【００１３】
まず、折り返し板１８を、図３−ａに示すように、折れ線ｇで内側に折り返す。つぎに、糊代片１９を折れ線ｈで外側に折り返し、重なり合った押え板１７と折り返し板１８と糊代片１９を折れ線ｆで内側に折り返し、図３−ｂに示すように、糊代片１９を本体前板１１の裏面に貼り合わせる。ついで、本体前板１１を折れ線ａで内側に折り曲げる。さらに、図３−ｃに示すように、蓋体蓋板２１を折れ線ｉで折り曲げて蓋体前板２２を本体前板１１の上に重ね、蓋体前板２２の切り取り部２２ａと本体前板１１に貼り合せて、図３−ｄに示すような折り畳まれたロール状包装材料収納カートン１作製する。このように折り畳まれた状態において、内容物のロール状包装材料Ｒを充填する前の保管、輸送などを行う。
【００１４】
つぎに、自動充填包装ラインでロール状包装材料収納カートン１に内容物のラップフィルムＦなどが巻かれたロール状包装材料Ｒを収納する。折り畳まれた状態のロール状包装材料収納カートン１を起こして、図４−ａに示すような四角柱形状とし、一方の側面の開口部からロール状包装材料Ｒを挿入する。ロール状包装材料Ｒを挿入した後、図４−ｂに示すように、本体折り込み片１４、１６を折り曲げ、そして、その上に本体側板１５を折り曲げて本体折り込み片１４、１６と側板１５を貼り合わせる。ついで、蓋体折り込み片２４を折り曲げ、その上に、蓋体側板２３を折り曲げて貼り合わせることによって、一方の側面が形成される。同様にして、もう一方の側面を形成して、図４−ｃに示すようなロール状包装材料収納カートン１が完成される。
【００１５】
この組み立て時において、図５に示すように、ロール押え部Ｐも同時に形成される。ロール状包装材料収納カートン１が折り畳まれた状態では、図５−ａに示すように、ロール押え部Ｐも折り畳まれた状態となっている。そして、内容物のロール状包装材料Ｒを充填する時、折り畳まれた状態のロール状包装材料収納カートン１を起こすことによって、ロール押え部Ｐも、図５−ｂに示すように、紙の反撥力で弾力的にロール状包装材料Ｒを押さえる位置まで起き上がる。この時、このロール押え部Ｐでは、押え板１７の幅が、折り返し板１８の幅より狭くしていることから、押え板１７は本体前板１１から９０度以上開くことはない。
【００１６】
実際に、本発明のロール状包装材料収納カートンを使用するには、図６に示すように、蓋体前板２２の切り取り部２２ａを本体前板１１から剥がしながら破断線Ｄに沿って切り取って除去した後、図１に示すように蓋体２０を開け、中のラップフィルムＦの端縁を摘んで所望の長さだけ引き出してからカッターＣで切断する。この時、ロール押え部Ｐが本体前板１１の上端から内側に突き出した形状であり、ロール状包装材料Ｒの飛び出しを防止することができる。
【００１７】
本発明のロール状包装材料収納カートンに収納するロール状包装材料Ｒは、主にラップフィルムＦであり、例えば、塩化ビニリデン系、塩化ビニール系、ポリエチレン系などの合成樹脂フィルムである。また、ラップフィルムＦ以外にも、アルミホイル、ワックスペーパー、その他家庭または店舗等でのロール状包装材料についても利用可能なものである。
【００１８】
さらに、上記の具体例ではロール状包装材料収納カートンについて説明したが、本発明はカートン本体と蓋体とが一体構成されるロール状包装材料収納カートン一般について適用可能であり、また、実施例で示したような直線状のカッターを備えたカートンのみならず、中央部がＶ字状に突出したいわゆるＶ字形状のカッターが取り付けられたカートンにも適用できることは言うまでもない。
【００１９】
【発明の効果】
以上説明したように、上記の構成からなる本発明のロール状包装材料収納カートンでは、ラップフィルムなどのロール状包装材料を収納するカートンであって、カートン本体の本体前板に連設した押え板、折り返し板、糊代片により形成された本体前板の上端から突き出した形状のロール押え部を設けることによって、収納したロール状包装材料が飛び出して落下することを防止し、かつ、ラップフィルムなどのロール状包装材料の引き出しに支障がなく、簡単に形成することができるという効果を奏するものである。すなわち、折り畳まれた状態から起こして内容物であるラップフィルムなどが巻かれたロール状包装材料を収納すると同時に、ロール押え部がカートン本体の内側方向に突き出した形状に形成され、そのロール押え部は、折り返し板の幅をロール押え板の幅より若干狭くしていることにより、本体前板から９０度以上開くことがなく、位置が安定しているため、確実にロール状包装材料が飛び出すことを防止することができるという効果がある。
【図面の簡単な説明】
【図１】本発明のロール状包装材料収納カートンの実施例を示す斜視図である。
【図２】図１に示すロール状包装材料収納カートンを形成するブランクの展開図である。
【図３】本発明のロール状包装材料収納カートンを折り畳まれた状態に組み立てる工程を説明する図である。
【図４】本発明のロール状包装材料収納カートンにロール状包装材料を収納する工程を説明する図である。
【図５】本発明のロール状包装材料収納カートンの折り畳まれた状態およびロール状包装材料を収納した状態を示す断面図である。
【図６】本発明のロール状包装材料収納カートンを開封する状態を示す斜視図である。
【符号の説明】
１　　ロール状包装材料収納カートン
１Ａ　ブランク
１０　　カートン本体
１１　　本体前板
１２　　本体底板
１３　　本体後板
１４　　本体折り込み片
１５　　本体側板
１６　　本体折り込み片
１７　　押え板
１８　　折り返し板
１９　　糊代片
２０　　蓋体
２１　　蓋体蓋板
２２　　蓋体前板
２２ａ　切り取り部
２３　　蓋体側板
２４　　蓋体折り込み片
Ｐ　　ロール押え部
Ｒ　　ロール状包装材料
Ｈ　　接着領域
Ｃ　　カッター
Ｄ　　切断線
ａ〜ｌ　折れ線
【図１】
2004090986.tif 000003
【図２】
2004090986.tif 000004
【図３】
2004090986.tif 000005
【図４】
2004090986.tif 000006
【図５】
2004090986.tif 000007
【図６】
2004090986.tif 000008